(57)【要約】【課題】  風呂の浴槽水を循環させる循環路の戻り管に設けた戻り管電磁弁を省略しても快適に湯張り、追い焚きのできる貯湯式給湯風呂装置を提供する。【解決手段】  温水を貯湯する貯湯タンク１内の熱交換手段２０と、熱交換手段２０と浴槽間を循環ポンプ１９にて浴槽水を循環可能に接続する循環路１２に熱交換手段２０をバイパスするバイパス管３１を設け、更にバイパス管３１及び熱交換手段２０側及び浴槽１４側とそれぞれ接続する接続口を有する流路切換手段３５を備えて各接続口を個別に閉塞すると共に、全接続口を開放及び閉塞可能としたので、従来循環路の戻り管１６に設けた戻り管電磁弁を省略してコストダウンしつつ、循環路を閉鎖して浴槽内の水位を静圧として検知できることで浴槽の湯張りをスムーズに行えるものである。【選択図】  図１
2006284145.tif 000002
【特許請求の範囲】
【請求項１】
温水を貯湯する貯湯タンクと、前記貯湯タンク内に配置された熱交換手段と、前記熱交換手段と浴槽とを循環可能に接続する循環路と、浴槽水を循環させる循環ポンプとを備えた貯湯式給湯風呂装置に於いて、前記循環路に前記熱交換手段をバイパスするバイパス管を設け、前記バイパス管及び熱交換手段側及び浴槽側のそれぞれを接続する接続口を有する流路切換手段を備え、前記流路切換手段は各接続口を個別に閉塞すると共に、全接続口を同時に開放及び全接続口を同時に閉塞可能とした事を特徴とする貯湯式給湯風呂装置。
【請求項２】
前記流路切換手段を三方弁で構成し、流入側の接続口に戻り管を接続し、２つの流出側の接続口の内一方には熱交換手段の入り口側を接続し、他方にはバイパス管の一端を接続し、該バイパス管の他端を熱交換手段の出口側に接続されていること特徴とする請求項１記載の貯湯式給湯風呂装置。
【請求項３】
前記流路切換手段の三方弁内の弁体に変形Ｔ字状、又は変形Ｙ字状の流通路を形成したことを特徴とする請求項２記載の貯湯式給湯風呂装置。
【発明の詳細な説明】
【技術分野】
【０００１】
この発明は、貯湯缶体内の温水との間接熱交換により浴槽内の浴槽水の追焚き又は保温及び、貯湯缶体内の温水を浴槽内に直接供給する湯張りを行う貯湯式給湯風呂装置に関するものである。
【背景技術】
【０００２】
従来よりこの種の貯湯式給湯風呂装置では、図６に示すように、風呂循環回路に貯湯缶体内に設けられた間接熱交換器を接続し、貯湯缶体内の温水を利用して電熱ヒータ等を用いなくとも浴槽の追焚きや保温をできるようにしているもので、１は給湯装置の貯湯タンクであり、２は貯湯タンク１内の下部に設けた沸上げヒータ、３は貯湯タンク１内の上部に設けられ、貯湯タンク１内の湯がなくなって給水されたときなどに利用する急速沸上げヒータである。４は貯湯タンク１の下部外周に設けられ貯湯タンク１内の水の沸上げ状態を検知する第１の温度センサ、５は貯湯タンク１の上部外周に設けられ急速沸上げ状態を検知する第２の温度センサである。
【０００３】
６は適温の湯を作り出すための電動混合弁、７は一端が貯湯タンク１の上部に接続され他端が電動混合弁６の給湯口に接続されて、貯湯タンク１内で沸き上げた湯を貯湯タンク１から電動混合弁６に供給するための給湯管、８は一端が水道管等に接続され他端が電動混合弁６の給水口に接続されて、水道水を電動混合弁６に供給するための給水管である。９は給水管８から分岐して貯湯タンク１の下部に接続され、給水管８内を流れる水を貯湯タンク１内に給水するための分岐給水管である。
【０００４】
１０は一端が電動混合弁６の混合湯出口に接続された混合湯管で、その他端は分岐部１１において循環路１２に接続されている。循環路１２は浴槽アダプタ１３を介して浴槽１４に接続されており、往き管１５と戻り管１６の両管によって構成され、混合湯管１０を通って供給された混合湯を浴槽１４内に供給すると共に、浴槽１４内の湯を循環させるようになっている。
【０００５】
１７は混合湯管１０に設けた大気開放弁付電磁弁で、この弁１７を閉じることによって浴槽水が貯湯タンク１や給水管８方向に逆流するのを防止し、浴槽水を循環路１２内で循環できるようにしてある。１８は循環路１２の戻り管１６に設けた戻り管電磁弁、１９は戻り管電磁弁１８よりも浴槽１４側において戻り管１６に設けた浴槽水を循環させるための循環ポンプである。２０は循環路１２に設けた熱交換手段で、循環路１２の往き管１５の一部を貯湯タンク１内の上部に取込んで配設し、熱交換手段２０内を流れる浴槽水が貯湯タンク１内の湯と熱交換できるようになっている。なお、この熱交換手段は、別に設けた熱交換用の配管を循環路１２の往き管１５に直列に接続してもよい。
【０００６】
２１は予め任意に設定された水位になるように浴槽１４内に湯張りを行うための水位センサで、循環ポンプ１９よりも浴槽１４側において戻り管１６に取り付けられている。２２は浴槽水の温度を検知するための第３の温度センサで、熱交換手段２０に至る前の往き管１５上に取り付けられている。
【０００７】
２３は沸上げヒータ２及び急速沸上げヒータ３の電源であり、かつ循環ポンプ１９を駆動するための電源である。２４は沸上げヒータ２，３への給電をＯＮ／ＯＦＦ制御する開閉器、２５はコモン接点ｃと第１の接点ａ及び第２の接点ｂを有する切替え器で、電源２３からの給電を沸上げヒータ２と急速沸上げヒータ３のいずれかに切り替えることができる。２６は循環ポンプ１９への電源２３供給を制御するための開閉器である。
【０００８】
２７はマイクロコンピュータを内蔵した制御装置で、第１、第２の温度センサ４，５、水位センサ２１及び第３の温度センサ２２の出力信号が入力され、また、開閉器２４、切替え器２５、電動混合弁６、大気開放弁付電磁弁１７、戻り管電磁弁１８及び開閉器２６を制御する。２８は制御装置２７に接続した遠隔操作用のリモコン、２９はリモコン２８に設けた自動運転開始用のスイッチである。
【０００９】
次に、貯湯タンク１内で沸き上げられた湯を使った浴槽１４側の湯張り動作を説明する。
まず、リモコン２８のスイッチ２９を押すと、制御装置２７はリモコン２８からの信号を取り込み、大気開放弁付電磁弁１７と戻り管電磁弁１８を開放する。また、給湯管７から供給された湯と給水管８から供給された水を電動混合弁６で混合して混合湯とし、この混合湯をここから混合湯管１０を通って循環路１２に送り、循環路１２の往き管１５と戻り管１６の両方から浴槽アダプタ１３を通して浴槽１４内に送り込み、湯張りを開始する。
【００１０】
そして、制御装置２７は湯張りしている湯の温度が予め設定されている温度に達しているかどうかを第３の温度センサ２２によって検知し、その設定温度から外れないように電動混合弁６における水と湯の混合比を制御しながら浴槽１４内に湯張りをしていく。このとき、浴槽１４内の水位は、所定の間隔で水位センサ２１によって測定される。なお、水位センサ２１によって水位を測定するときだけは戻り管電磁弁１８を閉じて、浴槽１４内の水位が確実に測定できるようにする。
【００１１】
浴槽１４内の湯が予め設定された水位に達すると、制御装置２７が大気開放弁付電磁弁１７を閉じる。そしてそれ以後は、制御装置２７が所定の間隔で開閉器２６の接点を閉じて循環ポンプ１９を作動させ、浴槽１４内の湯を循環路１２内に循環させて、湯温が所定の温度から冷めていないかどうかを第３の温度センサ２２によって検知する。
【００１２】
次に、浴槽水の追い焚き動作を説明する。
リモコン２８を操作して追い焚き運転が指示されると、戻り管電磁弁１８を開放して浴槽水が設定温度に達するまで開閉器２６の接点を閉じて、循環ポンプ１９を作動させておく。
こうすると、循環ポンプ１９によって浴槽アダプタ１３から循環路１２の戻り管１６に吸い込まれた浴槽水が、往き管１５の途上で貯湯タンク１内の上部に通じている熱交換手段２０に入り込み、貯湯タンク１内の湯と熱交換して暖められ、再び往き管１５を通って浴槽アダプタ１３から浴槽１４内に戻って、浴槽１４内の湯が除々に暖められる。  
そして、制御装置２７は第３の温度センサ２２で検知した温度が設定温度に達すると、開閉器２６の接点を開いて循環ポンプ１９を停止するものであった。（例えば、特許文献１参照）
【００１３】
【特許文献１】特開平１１−８３１５６号公報
【発明の開示】
【発明が解決しようとする課題】
【００１４】
ところで、この従来のものでは、浴槽１４側の湯張り動作の時、給湯管７から供給された湯と給水管８から供給された水を混合した混合湯を、混合湯管１０を通って循環路１２に送り、循環路１２の往き管１５と戻り管１６の両方から浴槽アダプタ１３を通して浴槽１４内に送り込むが、往き管１５を通して浴槽１４内に送り込む混合湯は、貯湯タンク１内の上部に通じている熱交換手段２０を通過して貯湯タンク１内の湯と熱交換して暖められてから往き管１５から浴槽１４内に送り込むため、給湯管７から供給された湯と給水管８から供給された水を混合した時点の温度より高い温度で浴槽１４内に送り込まれてしまうという欠点があった。
【００１５】
そこで図７のように、循環路１２の往き管１５の熱交換手段２０の出口側に流路切換手段として風呂三方弁３０を設け、循環路１２の戻り管１６で熱交換手段２０の入口の手前から前記風呂三方弁３０にバイパス管３１をすることによりバイパス路３２を形成し、風呂三方弁３０を動作して往き管１５を通して浴槽１４内に送り込む混合湯を熱交換手段２０を通過させずにバイパス路３２を通過させて往き管１５から浴槽１４内に送り込むことにより、往き管１５と戻り管１６の両方から同じ温度の混合湯を浴槽１４内に送り込むことができるものである。
【００１６】
又浴槽水の追い焚き動作の時は、風呂三方弁３０を動作してバイパス路３２を閉鎖して、浴槽水が熱交換手段２０を通過して貯湯タンク１内の湯と熱交換して加熱されることにより、浴槽水の追い焚きを行うものである。
【００１７】
しかしこの場合、新たに風呂三方弁３０という部品が必要になってコストが上昇すると共に、その風呂三方弁３０の制御も新たに必要になって制御が複雑になってしまうという欠点があった。
【課題を解決するための手段】
【００１８】
そこで、本発明は前記課題を解決するため、請求項１では、温水を貯湯する貯湯タンクと、前記貯湯タンク内に配置された熱交換手段と、前記熱交換手段と浴槽とを循環可能に接続する循環路と、浴槽水を循環させる循環ポンプとを備えた貯湯式給湯風呂装置に於いて、前記循環路に前記熱交換手段をバイパスするバイパス管を設け、前記バイパス管及び熱交換手段側及び浴槽側のそれぞれを接続する接続口を有する流路切換手段を備え、前記流路切換手段は各接続口を個別に閉塞すると共に、全接続口を同時に開放及び全接続口を同時に閉塞可能としたものである。
【００１９】
又請求項２に係る貯湯式給湯風呂装置では、特にその構成を、前記流路切換手段を三方弁で構成し、流入側の接続口に戻り管を接続し、２つの流出側の接続口の内一方には熱交換手段の入り口側を接続し、他方にはバイパス管の一端を接続し、該バイパス管の他端を熱交換手段の出口側に接続されているものである。
【００２０】
又請求項３に係る貯湯式給湯風呂装置では、特にその構成を、前記流路切換手段の三方弁内の弁体に変形Ｔ字状、又は変形Ｙ字状の流通路を形成したものである。
【発明の効果】
【００２１】
この発明の請求項１によれば、温水を貯湯する貯湯タンク内に配置された熱交換手段と浴槽とを循環可能に接続する循環路に循環ポンプにて浴槽水を循環させ、この循環路に熱交換手段をバイパスするバイパス管を設け、バイパス管及び熱交換手段側及び浴槽側のそれぞれを接続する接続口を個別に閉塞すると共に、全接続口を同時に開放及び全接続口を同時に閉塞可能とした流路切換手段を備えたので、従来循環路の戻り管に設けた戻り管電磁弁を省略しても、循環路を閉鎖して浴槽内の水位を静圧として検知できるので、浴槽の湯張りをスムーズに行いつつ戻り管電磁弁を省略してその分コストダウンできるものである。
【００２２】
又本発明の請求項２に記載の貯湯式給湯風呂装置によれば、流路切換手段を三方弁で構成し、流入側の接続口に戻り管を接続し、２つの流出側の接続口の内一方には熱交換手段の入り口側を接続し、他方にはバイパス管の一端を接続し、該バイパス管の他端を熱交換手段の出口側に接続したので、従来循環路の戻り管に設けた戻り管電磁弁を省略しても、循環路を閉鎖して浴槽内の水位を静圧として検知できるので、浴槽の湯張りをスムーズに行いつつ戻り管電磁弁を省略してその分コストダウンでき、更に浴槽内のお湯の追い焚き開始時に、流路切換手段の三方弁を全口連通状態にすることで、戻り管から流れてきた浴槽内の湯が熱交換手段とバイパス路の両方に流れて、熱交換手段内に滞留していた高温のお湯が最初に浴槽内に流れ込むのを防止できると共に、追い焚きの開始から所定時間たったら、流路切換手段の三方弁を熱交換手段側接続口戻り管側接続口連通状態にして、戻り管から流れてきた浴槽内の湯を全て熱交換手段を通過させて浴槽水を循環させることで、効率よく浴槽内のお湯の追い焚きを行うことができるものである。
【００２３】
又本発明の請求項３に記載の貯湯式給湯風呂装置によれば、流路切換手段の三方弁内の弁体に変形Ｔ字状、又は変形Ｙ字状の流通路を形成したので、浴槽の湯張りをスムーズに行いつつ戻り管電磁弁を省略してその分コストダウンでき、更に浴槽内のお湯の追い焚き開始時に、流路切換手段の三方弁を全口連通状態にすることで、戻り管から流れてきた浴槽内の湯が熱交換手段とバイパス路の両方に流れて、熱交換手段内に滞留していた高温のお湯が最初に浴槽内に流れ込むのを防止できると共に、追い焚きの開始から所定時間たったら、流路切換手段の三方弁を熱交換手段側接続口戻り管側接続口連通状態にして、戻り管から流れてきた浴槽内の湯を全て熱交換手段を通過させて浴槽水を循環させることで、効率よく浴槽内のお湯の追い焚きを行うことができるものである。
【発明を実施するための最良の形態】
【００２４】
次に、この発明の一実施形態を図面に基づいて説明する。
尚、従来技術と同じ構成については説明を省略する。
３３は流量計で、水位センサ２１よりも浴槽１４側において戻り管１６に取り付けられ、浴槽水の循環量を計量してその結果を制御装置２７に出力する。
３４は浴槽水の温度を検知してその出力信号を制御装置２７に送る第４の温度センサで、循環ポンプ１９と熱交換手段２０との間の戻り管１６上に取り付けられている。
本発明に於いては、図１に示すように循環ポンプ１９と熱交換手段２０の入口側との間に流路切換手段として多機能風呂三方弁３５を設け、往き管１５の熱交換手段２０の出口側と前記多機能風呂三方弁３５をバイパス管３１にて接続することによりバイパス路３２を形成すると共に、戻り管１６の戻り管電磁弁１８を不要としたものである。
【００２５】
前記多機能風呂三方弁３５は、図２のように、３６は三方弁本体で、熱交換手段２０の入口側と接続される熱交換手段側接続口３７と、戻り管１６と接続される戻り管側接続口３８と、バイパス管３１を介して往き管１５の熱交換手段２０の出口側と接続される往き管接続口３９が設けられているものである。
【００２６】
４０は前記三方弁本体３５内に設けられる球体状の弁体で、該弁体４０内には変形Ｔ字状、又は変形Ｙ字状の流通路４１が形成され、回転軸４２を中心に回動するものである。
【００２７】
４３はパッキンで、三方弁本体３５内の熱交換手段側接続口３７側と弁体４０との間と、三方弁本体３５内の戻り管側接続口３８側と弁体４０との間に設けられ、各接続口３７、３８、３９間を完全に遮断すると共に、パッキン４３と弁体４０の接触部分から漏れないように所定の圧力で弁体４０と圧接しているものである。
【００２８】
従来の風呂三方弁３０は、弁体内の流通路がＴ字状に形成されており、三方の接続口を仮にＡ口、Ｂ口、Ｃ口とすれば、Ａ口Ｃ口連通、Ｂ口Ｃ口連通、全口閉鎖又はＡ口Ｃ口連通、Ｂ口Ｃ口連通、全口連通の３通りの動作しかできないのに対し、本件の多機能風呂三方弁３５は、図２の全口連通、図３の全口閉鎖、図４の戻り管側接続口３８往き管接続口３９連通、図５の熱交換手段側接続口３７戻り管側接続口３８連通の４通りの動作を行うことができるものである。
【００２９】
次にこの貯湯式給湯風呂装置の作動を説明する。
まず、水道水で満たされている貯湯タンク１内の水の沸上げ動作から説明すると、制御装置２７は切替え器２５のコモン接点ｃと第２の接点ｂ間を結び、開閉器２４を閉じて電源２３を急速沸上げヒータ３に給電し、貯湯タンク１内の水を上部から沸き上げる。
【００３０】
そして、第２の温度センサ５によって貯湯タンク１内の上部の水が所定の温度まで沸き上げられたことを検知したら、制御装置２７は切替え器２５の接点をコモン接点ｃと第１の接点ａに切り替え、電源２３を沸上げヒータ２に給電して、貯湯タンク１内の水全体を沸き上げる。貯湯タンク１内全体の沸き上げは第１の温度センサ４によって検知され、所定の温度まで沸き上げられると、制御装置２７は開閉器２４の接点を遮断して、電源２３の給電を停止する。
【００３１】
次に、貯湯タンク１内で沸き上げられた湯を使った浴槽１４の湯張りを説明する。
まず、リモコン２８のスイッチ２９を押すと、制御装置２７はリモコン２８からの信号を取り込み、大気開放弁付電磁弁１７を開放する。
そして循環ポンプ１９を動作させ、ここで流量計３３が動作すると浴槽１４にお湯がある状態と判断し、流量計３３が動作しない場合は浴槽１４は空の状態と判断する。
【００３２】
そして次に多機能風呂三方弁３５を図４のように動作して戻り管側接続口３８と往き管接続口３９を連通状態にすると共に、給湯管７から供給された湯と給水管８から供給された水を電動混合弁６で混合して混合湯とし、この混合湯をここから混合湯管１０を通って循環路１２に送り、循環路１２の往き管１５と、分岐部１１からバイパス管３１を介して多機能風呂三方弁３５を通って戻り管１６の両方から浴槽アダプタ１３を通して浴槽１４内に送り込み、湯張りを開始する。
【００３３】
この時戻り管１６から浴槽アダプタ１３を通して浴槽１４内に送り込まれる混合湯は、分岐部１１から熱交換手段２０を通過せずにバイパス路３２を通過して戻り管１６を流れるため、熱交換手段２０との熱交換による温度上昇がなく、往き管１５から浴槽アダプタ１３を通して浴槽１４内に送り込まれる混合湯と同じ温度で浴槽１４内に送り込まれるものである。
【００３４】
そして、制御装置２７は湯張りしている湯の温度が予め設定されている温度に達しているかどうかを第３の温度センサ２２によって検知し、その設定温度から外れないように電動混合弁６における水と湯の混合比を制御しながら浴槽１４内に湯張りをしていく。
このとき、浴槽１４内の水位は、所定の間隔で水位センサ２１によって測定される。
なお、水位センサ２１によって水位を測定するときだけは 多機能風呂三方弁３５を図３のように動作して全口閉鎖して浴槽１４内の水位が確実に測定できるようにする。
【００３５】
浴槽１４内の湯が予め設定された水位に達すると、制御装置２７が大気開放弁付電磁弁１７を閉じ、それ以後は、制御装置２７が所定の間隔で開閉器２６の接点を閉じて循環ポンプ１９を作動させ、浴槽１４内の湯を循環路１２内に循環させて、湯温が所定の温度から冷めていないかどうかを第３の温度センサ２２によって検知する。
【００３６】
次に、浴槽１４内のお湯の追い焚きを説明する。
まず、リモコン２８のスイッチ２９を押すと、多機能風呂三方弁３５を図２のように動作して全口連通状態にして循環ポンプ１９を動作させると、戻り管１６から流れてきた浴槽１４内の湯が熱交換手段２０とバイパス路３２の両方に流れ、それが多機能風呂三方弁３５と往き管１５との接続部分で合流して混合し、往き管１５から浴槽１４内に流れていく。
【００３７】
これは浴槽１４内のお湯の追い焚きの開始時に、熱交換手段２０内に滞留していたお湯は、貯湯タンク１内の高温のお湯と同じ温度になっており、戻り管１６から流れてきた浴槽１４内の湯を全て熱交換手段２０を通過させて往き管１５から浴槽１４内に流れ込こませると、熱交換手段２０内に滞留していた高温のお湯が高温のまま浴槽１４内に流れ込んでしまい、浴槽１４内に人が入浴していた場合、この高温のお湯が直接人に当たってしまう可能性があるため、戻り管１６から流れてきた浴槽１４内の湯が熱交換手段２０とバイパス路３２の両方に流すことにより、熱交換手段２０内に滞留していた高温のお湯と温度の低い浴槽１４内の湯を混合して、追い焚きの開始時に最初に浴槽１４内に流れ込むお湯が高温ではないようにするものである。
【００３８】
そして浴槽１４内のお湯の追い焚きの開始から所定時間たったら、もう熱交換手段２０内に滞留していた高温のお湯が高温のまま浴槽１４内に流れ込むことはないので、多機能風呂三方弁３５を図５のように動作して熱交換手段側接続口３７戻り管側接続口３８連通状態にして循環ポンプ１９を動作させ、戻り管１６から流れてきた浴槽１４内の湯を全て熱交換手段２０を通過させて熱交換により加熱し、往き管１５から浴槽１４内に流れ込こませ、浴槽水を循環させるものである。
【００３９】
そして、第４の温度センサ３４が検知する浴槽水の温度が設定温度に達したら、多機能風呂三方弁３５を図４のように動作して戻り管側接続口３８と往き管接続口３９を連通状態にすると共に、循環ポンプ１９を停止するものである。
【００４０】
このように循環路１２の戻り管１６の一部を貯湯タンク１内の上部に取込んで配設し、熱交換手段２０内を流れる浴槽水が貯湯タンク１内の湯と熱交換できるようにして浴槽水の追い焚きができる貯湯式給湯風呂装置で、循環ポンプ１９と熱交換手段２０の入口側との間に多機能風呂三方弁３５を設け、往き管１５の熱交換手段２０の出口側と前記多機能風呂三方弁３５をバイパス管３１にて接続することによりバイパス路３２を形成すると共に、前記多機能風呂三方弁３５内に設けられる球体状の弁体４０に変形Ｔ字状、又は変形Ｙ字状の流通路４１を形成して回転軸４２を中心に回動させることにより、従来循環路１２の戻り管１６に設けた戻り管電磁弁１８を省略しても、循環路１２を閉鎖して浴槽１４内の水位を静圧として検知できるので、戻り管電磁弁１８を省略できる分コストダウンできるものである。
【００４１】
更に浴槽１４内のお湯の追い焚きを行う時、追い焚きの開始時に、多機能風呂三方弁３５を全口連通状態にすることで、戻り管１６から流れてきた浴槽１４内の湯が熱交換手段２０とバイパス路３２の両方に流れて、熱交換手段２０内に滞留していた高温のお湯と温度の低い浴槽１４内の湯を混合して、追い焚きの開始時に最初に浴槽１４内に流れ込むお湯が高温ではないようにでき、そして追い焚きの開始から所定時間たったら、多機能風呂三方弁３５を熱交換手段側接続口３７戻り管側接続口３８連通状態にして、戻り管１６から流れてきた浴槽１４内の湯を全て熱交換手段２０を通過させて熱交換により加熱し、往き管１５から浴槽１４内に流れ込こませ、浴槽水を循環させることで、効率よく浴槽１４内のお湯の追い焚きを行うことができるものである。
尚、本実施例では熱交換手段２０を電気ヒータとして電気温水器にて貯湯式給湯風呂装置を説明したがこれに限定されず、熱交換手段２０を二酸化炭素などの自然冷媒を使用したヒートポンプユニットにより貯湯タンク１内のお湯を加熱するヒートポンプ式の貯湯式給湯風呂装置でもよいものである。
【図面の簡単な説明】
【００４２】
【図１】この発明の一実施形態の概略構成図。
【図２】本発明の多機能風呂三方弁の一動作状態を示す断面図。
【図３】本発明の多機能風呂三方弁の他の動作状態を示す断面図。
【図４】本発明の多機能風呂三方弁の他の動作状態を示す断面図。
【図５】本発明の多機能風呂三方弁の他の動作状態を示す断面図。
【図６】従来の貯湯式給湯風呂装置の概略図。
【図７】従来のその他の貯湯式給湯風呂装置の概略図。
【符号の説明】
【００４３】
１    貯湯タンク
１２  循環路
１４  浴槽
１９  循環ポンプ
２０  熱交換手段
３１  バイパス管
３５  多機能風呂三方弁
【図１】
2006284145.tif 000003
【図２】
2006284145.tif 000004
【図３】
2006284145.tif 000005
【図４】
2006284145.tif 000006
【図５】
2006284145.tif 000007
【図６】
2006284145.tif 000008
【図７】
2006284145.tif 000009